(57)【要約】  本発明は、プレートのための保持体（１）であって、下部構造体（２）に回動不能に結合された接続部材（４）を介して下部構造体（２）に固定されており、前記接続部材（４）が、プレートを下部構造体（２）に対してスペース置いて保持するためのスペーサエレメント（３，３′）に結合するために接続ねじ山（６，６′）を有していて、前記スペーサエレメント（３，３′）は、プレートに面した側の端部（７）に、プレートホルダ（５）に接続するための接続ねじ山（６，６′）を有している形式のものに関する。本発明では、スペーサエレメント（３，３′）が、接続部材（４）およびプレートホルダ（５）に対して相対的に軸方向で調節可能である。
2007524042.tif 000002
【特許請求の範囲】
【請求項１】
下部構造体（２）に固定される、プレートのための保持体（１）であって、下部構造体（２）に回動不能に結合された接続部材（４）が設けられており、該接続部材（４）は、プレートを下部構造体（２）に対してスペース置いて保持するためのスペーサエレメント（３，３′）に結合するために接続ねじ山（６，６′）を有しており、前記スペーサエレメント（３，３′）は、プレートに面した側の端部（７）に、プレートホルダ（５）に接続するための接続ねじ山（６，６′）を有している形式のものにおいて、
スペーサエレメント（３，３′）が、接続部材（４）およびプレートホルダ（５）に対して相対的に軸方向で調節可能であり、固定可能であることを特徴とする、下部構造体に固定される、プレートのための保持体。
【請求項２】
接続部材（４）とプレートホルダ（５）の、スペーサエレメント（３，３′）に結合された構成部分が鏡像対称的にスペーサエレメント（３，３′）に配置されている、請求項１記載の保持体。
【請求項３】
スペーサエレメント（３）が、下部構造体（２）に面した端部（８）と、プレートに面した端部（７）とに同じねじ山付きピン（９）を有している、請求項１または２記載の保持体。
【請求項４】
スペーサエレメント（３）が、スペーサエレメント（３）の軸方向（矢印Ａ）で延びる、ねじ山付きピン（９）の接続ねじ（６）に直交する溝（１０）を有している、請求項１から３までのいずれか１項記載の保持体。
【請求項５】
スペーサエレメント（３）のねじ山付きピン（９）が、４つの溝（１０）を直径上の配置で有している、請求項４記載の保持体。
【請求項６】
接続部材（４）とプレートホルダ（５）とが、スペーサエレメント（３，３′）の接続ねじ山（６，６′）にスリーブ状に被さるナット（１１）として形成されている、請求項１から５までのいずれか１項記載の保持体。
【請求項７】
ナット（１１）がカウンタナット（１２）によって軸方向の摺動を阻止されている、請求項１から６までのいずれか１項記載の保持体。
【請求項８】
ナット（１１）の壁（１３）に、ねじ山付きピン（９）の溝（１０）内にねじ込み可能なヘッドレスボルト（１５）を収容するためのねじ山付き孔（１４）が配置されている、請求項１から７までのいずれか１項記載の保持体。
【請求項９】
ねじ山付きピン（９）の各溝（１０）にヘッドレスボルト（１５）が対応配置されている、請求項８記載の保持体。
【請求項１０】
接続部材（４）およびプレートホルダ（５）の接続ねじ山（６，６′）が精密なねじ山として形成されている、請求項１から９までのいずれか１項記載の保持体。
【請求項１１】
接続部材（４）とプレートホルダ（５）の接続ねじ山（６，６′）が、同じピッチ方向のねじ山として形成されている、請求項１から１０までのいずれか１項記載の保持体。
【請求項１２】
接続部材（４）およびプレートホルダ（５）の接続ねじ山（６，６′）が、異なるピッチ方向のねじ山として形成されている、請求項１から１１までのいずれか１項記載の保持体。
【請求項１３】
プレートホルダ（５）が、ガラスプレートまたはファサードプレートのポイントホルダのための間接的または直接的な接続部を形成している、請求項１から１２までのいずれか１項記載の保持体。
【請求項１４】
接続部材（４）が下部構造体に溶接されている、請求項１から１３までのいずれか１項記載の保持体。
【請求項１５】
スペーサエレメント（３′）が、その長手方向全長にわたって接続ねじ山（６′）と、該接続ねじ山（６′）に直交する溝（１０′）とを有している、請求項１から１４までのいずれか１項記載の保持体。
【発明の詳細な説明】
【技術分野】
【０００１】
本発明は、下部構造体に固定される、プレートのための保持体であって、下部構造体に回動不能に結合された接続部材が設けられており、該接続部材は、プレートを下部構造体に対してスペース置いて保持するためのスペーサエレメントに結合するために接続ねじ山を有しており、前記スペーサエレメントは、プレートに面した側の端部に、プレートホルダに接続するための接続ねじ山を有している形式のものに関する。
【０００２】
このような形式の保持体は、一方では下部構造体に回動不能に接続することができなければならず、他方ではガラスプレートまたは類似のものに接続することができなければならない。この場合、構成の誤差を補償するために、保持体の長さが可変な構成が所望される。即ち保持体の構成部分は、隣接するガラスプレートまたはファサードプレートの整合した配置を得るために、下部構造体における保持体の接続部とガラスプレートまたはファサードプレートとの間の間隔を調節することができ、かつ固定することができるように形成されていなければならない。このために通常は保持体の構成部分を形成するスペーサエレメントが利用される。
【０００３】
冒頭で述べた形式の装置はドイツ連邦共和国特許出願公開第１９５２８４８９号明細書に記載されている。公知のガラスプレートホルダでは、支持体に溶接されたねじ山付きピンが設けられており、該ねじ山付きピンにはスペーサエレメントを形成する収容スリーブが被せられている。収容スリーブの球冠状の頭部には、プレートホルダのねじ山付きロッドがねじ込み可能であって、ねじ山付きロッドの収容スリーブへのねじ込み深さは、プレートホルダの支持プレートが収容スリーブに当接することにより規定されている。即ちねじ山付きロッドもしくは収容スリーブの球冠状の頭部は、支持体に対するガラスプレートのスペーサとしては適していない。
【０００４】
ドイツ連邦共和国実用新案第９３１８８６２号明細書により、多面絶縁ガラスプレートのための保持体が開示されている。この保持体では、組み付けスリーブに、製造誤差を補償する手段を備えた組み付けピンをねじ込むことができ、固定することができる。この場合も唯１つのねじ結合によってしか、ガラスプレートと下部構造体との間のスペース保持が可能にされない。
【０００５】
ドイツ連邦共和国特許出願公開第１９５１９５２６号明細書に記載されたプレートの保持体のための手段についても同じことが言える。この手段では、支持部材のシャフト部分が、ジョイントヘッドとは反対側の端部でねじによって、いわゆる建築物である不動の構成部分に係合する。
【０００６】
ドイツ連邦共和国特許第１９７１３０３８Ｃ２号特許明細書に記載のガラスプレートを固定するためのクランプ金具では、ガラスプレートを緊定するポイントホルダがクランプねじによって壁に接続されている。必要な間隔保持は、調節ナットによってねじ固定されたスペーサナットによって行われる。スペーサナットによって、スペーサブシュを介在させながら壁とガラスプレートとの間の間隔を調節することができる。ドイツ連邦共和国特許出願公開第１９６２３７９７号明細書により、ガラスプレートのためのホルダが公知であり、この場合、ポイントホルダは支持エレメントを介して支持構造体に支持されている。支持エレメントはねじ山付きピンとともに、支持構造体に設けられた孔内を貫通し、この孔の両側でカウンタナットによって支持構造体に固定可能である。
【０００７】
プレートと下部構造体との間の上記の結合は、プレートと下部構造体との間の間隔を変更するための調節部材が唯１つしか設けられていない点で共通している。
【０００８】
本発明の課題は、ガラスプレート、ファサードプレートまたはこれに類似のものを下部構造体に接続するための保持体であって、下部構造体とこれらプレートとの間の間隔を簡単に調節することができ、固定することができるような保持体を提供することである。この場合大きな間隔変更の可能性が、最良の調節可能性とともに保証されると望ましい。保持体のガラスプレートまたはファサードプレートへの接続は任意に行われ、例えばポイントホルダとして、いわゆるスパイダ等によって形成されている。
【０００９】
この課題は本発明の請求項１の特徴部により解決された。
【００１０】
接続部材およびプレートホルダに対して相対的にスペーサエレメントが調節可能であることにより、先行技術に比べてスペーサエレメントの構成長さが同じ場合に、正確な調節を保証しながら可能な調節距離は２倍になる。
【００１１】
本発明のさらなる特徴は請求項２以下に記載されている。
【００１２】
接続部材およびプレートホルダの、スペーサエレメントに結合される構成部分がスペーサエレメントに鏡像対称的に配置されていることにより、接続部材およびプレートホルダのために同じ構成部分を使用することができる。スペーサエレメントの下部構造体に面した端部とプレートに面した端部とに、同じねじ山付きピンが配属されていることにより、スペーサエレメントの対称的な構成、ひいては簡単かつ安価な製造が可能になる。
【００１３】
スペーサエレメントにおいてスペーサエレメントの軸方向で延びる、ねじ山付きピンの接続ねじ山に直交する溝は、スペーサエレメントと接続部材もしくはプレートホルダとの間の回動を防止するために、これから説明するように働く。この場合有利には、スペーサエレメントのねじ山付きピンは４つの溝を直径上の配置で有している。
【００１４】
本発明の別の構成では、接続部材とプレートホルダとが、スペーサエレメントの接続ねじにスリーブ状に被さるナットとして形成されているならば、接続部材およびプレートホルダの技術的に簡単な構成が得られる。この場合、このナットは、対応配置されたカウンタナットによって軸方向の摺動に対して固定されている。
【００１５】
上記カウンタナットによってスペーサエレメントに対して相対的な接続部材もしくはプレートホルダの軸方向の摺動が防止されている一方で、付加的な回動防止が、ナットの壁に、ねじ山付きピンの上記溝にねじ込み可能なヘッドレスボルトを収容するためのねじ山付き孔を設けることにより保証される。この場合、ねじ山付きピンの４つの溝のそれぞれにヘッドレスボルトがねじ込み可能である。これにより、接続部材もしくはプレートホルダの回動時に、その都度、その外周の１／４にわたってスペーサエレメントと接続部材もしくはプレートホルダとの間のロックが可能であるので正確に調節可能な調整が得られるという利点が生じる。
【００１６】
このような微調整には本発明の別の構成によれば、接続部材もしくはプレートホルダの接続ねじ山が精密ねじ山として形成されていると特に有利である。
【００１７】
接続部材およびプレートホルダの接続ねじ山は選択的に同じピッチ方向のまたは異なるピッチ方向のねじ山として形成することができる。異なるピッチ方向の場合は、スペーサエレメントの回転操作の際に、スペーサエレメントに対して接続部材の軸方向調節とプレートホルダの軸方向調節とが同時に得られる。
【００１８】
上述したように、接続部材およびプレートホルダの構成部分は鏡像対称的にスペーサエレメントに配置されている。このことは、軸方向調節、ひいては調整のために働く構成部分に関して当てはまる。その他の点では、プレートホルダは本発明の別の構成では、ガラスプレートまたはファサードプレートのポイントホルダのための直接的または間接的な接続部を形成して良く、即ち、プレートへの接続可能性に関して、いわゆるスパイダ等が任意に形成される。
【００１９】
上記保持体の機能に適した操作は、接続部材が下部構造体に回動不能に結合されていることを前提としている。このような回動不能な結合は基本的に解離可能なねじ締結であって良いが、有利には、接続部材と下部構造体との結合は溶接によって行われる。
【００２０】
本発明の別の特徴によれば、スペーサエレメントに配置されたねじ山付きピンを省いて、スペーサエレメントの製造をさらに簡単にするために、スペーサエレメント自体をねじ山付きボルトとして形成することができ、その長手方向の延在の全長にわたって、接続ねじ山と、該接続ねじ山に直交する溝とを有している。
【００２１】
次に本発明の２つの実施例を詳しく説明する。
【００２２】
図１及び図２において、同じ構成部分には同じ符号が付与してある。
【００２３】
図１の保持体１はほぼ１つのスペーサエレメント３から成っていて、このスペーサエレメント３はその両端部にねじ山付きピン９を有している。図平面で見て下方のねじ山付きピン９は接続ねじ山６を介して、下部構造体２に溶接された接続部材４にねじ込まれている。図平面で見て上方のねじ山付きピン９は相応に接続ねじ山６を介してプレートホルダ５にねじ込まれている。ねじ山付きピン９は一方ではプレート（図示せず）に面したスペーサエレメント３の端部７に、他方では下部構造体２に面したスペーサエレメント３の端部８に配置されていることが明らかである。スペーサエレメント３に関して対称的な配置で、ねじ山付きピン９の領域に軸方向Ａで延びる溝１０が設けられていて、この溝１０内には回転防止装置を形成するヘッドレスボルト１５がねじ込み可能である。ヘッドレスボルト１５は、ナット１１として形成された接続部材４もしくはプレートホルダ５に設けられたねじ山付き孔１４を貫通する。直径上に向かい合って位置するそれぞれ４つの溝１０が設けられていることが明らかである。スペーサエレメント３と接続部材４もしくはプレートホルダ５との間の軸方向の固定は、接続部材４もしくはプレートホルダ５に対して調節可能なカウンタナット１２によって行われる。
【００２４】
図２の実施例は、符号３′で示したスペーサエレメントがねじ山付きボルトとして形成されていて、符号１０′で示した溝が、接続ねじ山６´と同様に、スペーサエレメント３′の全長にわたって延びている点でのみ図１の実施例と異なっている。
【図面の簡単な説明】
【００２５】
【図１】ねじ山付きピンの使用下における保持体の第１実施例を示す図である。
【図２】ねじ山付きボルトの使用下における保持体の第２実施例を示す図である。
【符号の説明】
【００２６】
１  保持体、  ２  下部構造体、  ３，３′  スペーサエレメント、  ４  接続部材、  ５  プレートホルダ、  ６，６′  接続ねじ山、  ７，８  スペーサエレメント端部、  ９  ねじ山付きピン、  １０，１０′  溝、  １１  ナット、  １２  カウンタナット、  １３  壁、  １４  ねじ山付き孔、  １５  ヘッドレスボルト、  Ａ  軸方向
【図１】
2007524042.tif 000003
【図２】
2007524042.tif 000004
【国際調査報告】
2007524042.tif 000005
2007524042.tif 000006
2007524042.tif 000007
2007524042.tif 000008